(57)【要約】【課題】製造コストの低減化とコネクタの小型化とを図ることができる中継コネクタを提供する。【解決手段】第１ハウジング２と、この第１ハウジング２が取り付けられたライン基板３と、第２ハウジング４とを備えている。第１ハウジング２には、フレクシブル基板２００の４０数の端子部２０１に対応した４０本の端子２１，２２が列設されている。ライン基板３は表面に２０本の端子部３０を有し、裏面に２０本の端子部３１を有しており、端子部３０が第１ハウジング２の端子２１に、端子部３１が端子２２に交互に接続されている。第２ハウジング４は、ライン基板３を挿入するための基板挿入口４０を有し、挿入されたライン基板３の端子部３０が第２ハウジング４内部の端子４１に、端子部３１が端子４２に接触する。また、第２ハウジング４内部の端子４１，４２は、ＩＤＥケーブル３００の端子３０１ａ，３０１ｂに接触するようになっている。【選択図】        図１
2004335246.tif 000002
【特許請求の範囲】
【請求項１】
扁平導体の端部を挿入するための扁平導体挿入口，及び、扁平導体の端子部に接触させるための接触部を扁平導体挿入口内に露出させると共にテール部を外部に露出させた状態で列設されたＮ＋Ｍ本の端子を有する第１ハウジングと、
表面の前端部に列設されたＮ数の端子部から延出されたＮ本のラインと裏面の前端部に列設されたＭ数の端子部から延出されたＭ本のラインとを有し、これらＮ本のライン及びＭ本のラインが、表面又は裏面のいずれかに載置した上記第１ハウジングにおける上記Ｎ＋Ｍ本の端子のテール部に交互に接続されたライン基板と、
上記ライン基板を上記前端部側から挿入するための基板挿入口を前面に有し、挿入時のライン基板の表面に対向する天壁部の内面に、上記Ｎ数の端子部に接触する接触部と外部ケーブルを接続するためのテール部とを有したＮ本の端子が列設され、且つ、裏面に対向する底壁部の内面に、上記Ｍ数の端子部に接触する接触部と上記外部ケーブルを接続するためのテール部とを有したＭ本の端子が列設された第２ハウジングと
を具備することを特徴とする中継コネクタ。
【請求項２】
請求項１に記載の中継コネクタにおいて、
上記第１ハウジングを、上記扁平導体挿入口が上記ライン基板の面に対して垂直方向に向くように、ライン基板に載置した、
ことを特徴とする中継コネクタ。
【請求項３】
請求項１に記載の中継コネクタにおいて、
上記第１ハウジングを、上記扁平導体挿入口が上記ライン基板の面に対して水平方向に向くように、ライン基板に載置した、
ことを特徴とする中継コネクタ。
【請求項４】
請求項１ないし請求項３のいずれかに記載の中継コネクタにおいて、
上記第２ハウジング前方に延出した両側壁部の内面に刻設されライン基板の両側端部がスライド可能なガイド溝と、このガイド溝の前部に突設された係止部と、ライン基板の後端部の両角部に形成され上記係止部と係合可能な切欠部とを有してなるロック機構を設けた、
ことを特徴とする中継コネクタ。
【請求項５】
請求項１ないし請求項４のいずれかに記載の中継コネクタにおいて、
上記第２ハウジングの天壁部から上記基板挿入口の前方に突出した第１突出片と、この第１突出片とほぼ平行に上記底壁部から上記基板挿入口の前方に突出した第２突出片とを有してなる押圧部を設けた、
ことを特徴とする中継コネクタ。
【発明の詳細な説明】
【０００１】
【発明の属する技術分野】
この発明は、フレクシブルフラットケーブル（ＦＦＣ）やフレクシブルプリント基板（ＦＰＣ）等の扁平導体を他のケーブルと電気的に接続するための中継コネクタに関するものである。
【０００２】
【従来の技術】
従来、この種の技術として、例えば特許文献１に記載の中継コネクタがある。
図１４は、当該文献記載の中継コネクタを示す平面図である。
この中継コネクタ１０１は、図１４に示すように、ライン基板１０２の周りに絶縁性合成樹脂を成形してなる絶縁枠１０３を固着した構成となっている。
具体的には、絶縁枠１０３は、それぞれピッチの異なる端子群１０４，１０５を有しており、電子部品１０７，１０９の外部端子群１０８，１１０を端子群１０４，１０５に挿入することができるようになっている。
また、ライン基板１０２には、ライン群１１１が形成されており、ライン群１１１の端部群が絶縁枠１０３の端子群１０４，１０５にそれぞれ接続されている。
このライン群１１１の端部群と絶縁枠１０３の端子群１０４，１０５との接続は、半田付け作業、抵抗溶接作業、レーザ作業のいずれかの作業を介して行われる。
かかる構成により、電子部品１０７の広ピッチの外部端子群１０８を中継コネクタ１０１の端子群１０４に挿入し、電子部品１０９の狭ピッチの外部端子群１１０を中継コネクタ１０１の端子群１０５に挿入することで、電子部品１０７，１０９の外部端子群１０８，１１０がライン基板１０２のライン群１１１を介して互いに接続される。
【０００３】
【特許文献１】
特開平６−３３３６５２号公報
【０００４】
【発明が解決しようとする課題】
しかし、上記した従来の中継コネクタ１０１では、次のような問題がある。
絶縁枠１０３に多数の孔を穿設し、これらの孔に端子群１０４，１０５を組み込む作業が必要であり、しかも、ライン基板１０２を絶縁枠１０３に組み付ける際に、ライン基板１０２のライン群１１１の端部群と絶縁枠１０３の端子群１０４，１０５とを、半田付け作業、抵抗溶接作業、レーザ作業のいずれかの作業によって接続しなければならないので、多数の複雑な製造工程が必要となり、その分製造コストの増加を招く。さらに、ライン基板１０２の外側に絶縁枠１０３を組み付けた構造のため、中継コネクタ１０１自体が大型化してしまう。
【０００５】
この発明は上述した課題を解決するためになされたもので、製造コストの低減化とコネクタの小型化とを図ることができる中継コネクタを提供することを目的とするものである。
【０００６】
【課題を解決するための手段】
上記課題を解決するために、請求項１の発明に係る中継コネクタは、扁平導体の端部を挿入するための扁平導体挿入口，及び、扁平導体の端子部に接触させるための接触部を扁平導体挿入口内に露出させると共にテール部を外部に露出させた状態で列設されたＮ＋Ｍ本の端子を有する第１ハウジングと、表面の前端部に列設されたＮ数の端子部から延出されたＮ本のラインと裏面の前端部に列設されたＭ数の端子部から延出されたＭ本のラインとを有し、これらＮ本のライン及びＭ本のラインが、表面又は裏面のいずれかに載置した第１ハウジングにおけるＮ＋Ｍ本の端子のテール部に交互に接続されたライン基板と、ライン基板を前端部側から挿入するための基板挿入口を前面に有し、挿入時のライン基板の表面に対向する天壁部の内面に、Ｎ数の端子部に接触する接触部と外部ケーブルを接続するためのテール部とを有したＮ本の端子が列設され、且つ、裏面に対向する底壁部の内面に、Ｍ数の端子部に接触する接触部と外部ケーブルを接続するためのテール部とを有したＭ本の端子が列設された第２ハウジングとを具備する構成とした。
かかる構成により、扁平導体の端部を第１ハウジングの扁平導体挿入口に挿入すると、扁平導体の端子部が、Ｎ＋Ｍ本の端子の接触部に接触する。そして、第１ハウジングが取り付けられたライン基板を前端部側から第２ハウジングの基板挿入口に挿入すると、Ｎ数の端子部が、天壁部の内面に列設されたＮ本の端子の接触部に接触すると共に、Ｍ数の端子部が底壁部の内面に列設されたＭ本の端子の接触部に接触する。この状態で、外部ケーブルをＮ本の端子及Ｍ本の端子のテール部に接続することで、外部ケーブルが、第２ハウジング，ライン基板、第１ハウジングを介して、扁平導体に電気的に接続される。
【０００７】
また、請求項２の発明は、請求項１に記載の中継コネクタにおいて、第１ハウジングを、扁平導体挿入口がライン基板の面に対して垂直方向に向くように、ライン基板に載置した構成としてある。
【０００８】
また、請求項３の発明は、請求項１に記載の中継コネクタにおいて、第１ハウジングを、扁平導体挿入口がライン基板の面に対して水平方向に向くように、ライン基板に載置した構成としてある。
【０００９】
さらに、請求項４の発明は、請求項１ないし請求項３のいずれかに記載の中継コネクタにおいて、第２ハウジング前方に延出した両側壁部の内面に刻設されライン基板の両側端部がスライド可能なガイド溝と、このガイド溝の前部に突設された係止部と、ライン基板の後端部の両角部に形成され係止部と係合可能な切欠部とを有してなるロック機構を設けた構成としてある。
かかる構成により、第１ハウジングが取り付けられたライン基板の両側端部を第２ハウジングのガイド溝に嵌め、基板挿入口側に挿入していくと、ライン基板がロック機構のガイド溝に案内されて、基板挿入口内に入り込み、ライン基板の後端部の係止部がガイド溝の前部に突設された係止部に係合して、ライン基板が第２ハウジングにロックされる。
【００１０】
特に、請求項５の発明は、請求項１ないし請求項４のいずれかに記載の中継コネクタにおいて、第２ハウジングの天壁部から基板挿入口の前方に突出した第１突出片と、この第１突出片とほぼ平行に底壁部から基板挿入口の前方に突出した第２突出片とを有してなる押圧部を設けた構成としてある。
ライン基板の後端部を指で押しながら第２ハウジングの基板挿入口内に挿入し、基板挿入が完了すると、指が第１突出片と第２突出片とに当たり、ライン基板が指の押圧力から解放される。
【００１１】
【発明の実施の形態】
以下、この発明の実施の形態について図面を参照して説明する。
（第１実施形態）
図１は、この発明の第１実施形態に係る中継コネクタの斜視図であり、図２は中継コネクタの分解斜視図である。
図１において、符号２００は、扁平導体としてのフレクシブル基板であり、その端部表面に狭ピッチで４０数の端子部２０１を有している。また、符号３００は、外部ケーブルとしてのＩＤＥケーブル３００であり、その端部には、上下に２０本ずつ合計４０本の端子３０１ａ，３０１ｂを有する幅広のコネクタ３０２が接続されている。中継コネクタ１はこれらフレクシブル基板２００とＩＤＥケーブル３００とを電気的に接続するための装置である。
この中継コネクタ１は、図２に示すように、第１ハウジング２とライン基板３と第２ハウジング４とで構成されている。
【００１２】
第１ハウジング２は、フレクシブル基板２００を接続するための部材である。
図３は第１ハウジング２を示す平面図であり、図４は図３の矢視Ａ−Ａ断面図であり、図５は図３の矢視Ｂ−Ｂ断面図である。
図３に示すように、第１ハウジング２は箱体であり、フレクシブル基板２００の端部を挿入するための扁平導体挿入口２０を有している。そして、この扁平導体挿入口２０の内部に、２０（＝Ｎ）本の端子２１と同じく２０（＝Ｍ）本の端子２２とでなる合計４０本の端子２１，２２が収納されている。
すなわち、端子取付部２３が第１ハウジング２の内部に形成されており、端子２１，２２がこの端子取付部１３に交互に取り付けられている。具体的には、図４及び図５に示すように、端子２１（２２）の鉤状の先端部が端子取付部２３に引っ掛けられ、フレクシブル基板２００の端子部２０１と接触させるための接触部２１ａ（２２ａ）が扁平導体挿入口２０内の露出されている。また、端子２１のテール部２１ｂは、ほぼ直角に折り曲げられた状態で、第１ハウジング２の外部に露出されている。一方、端子２２のテール部２２ｂは、端子２１のテール部２１ｂとは逆側に折り曲げられた状態で、第１ハウジング２の外部に露出されている。
【００１３】
ライン基板３は、上記第１ハウジング２が取り付けられる部材である。
図６はライン基板３の表面図であり、図７はライン基板３の裏面図である。
図６に示すように、ライン基板３の表面の前端部には、２０（＝Ｎ）数の端子部３０が列設されており、２０（＝Ｎ）本のライン３０ａがこれらの端子部３０から端子部３０表面の後端部側に延出されている。そして、ライン３０ａの先端部３０ｂは、ライン基板３表面の後端部に整列されている。
また、ライン基板３の裏面の前端部にも、図７に示すように、２０（＝Ｍ）数の端子部３１が列設され、２０（＝Ｍ）本のライン３１ａがこれら端子部３１から後端部側に延出されている。そして、ライン３１ａの先端部３１ｂは、ライン基板３裏面の後端部であって、上記ライン３０ａの先端部３０ｂよりも後方に整列されている。さらに、これらの先端部３１ｂは、図５に示すように、スルーホール３１ｃを介してライン基板３表面のパッド３１ｄに接続されている。
【００１４】
第１ハウジング２は、図４及び図５に示すように、扁平導体挿入口２０をライン基板３の表面に対して垂直方向を向くように、即ち、扁平導体挿入口２０を上向きにしてライン基板３の表面上に載置されている。
具体的には、端子２１のテール部２１ｂがライン３０ａの先端部３０ｂに載せられると共に、端子２２のテール部２２ｂがライン３１ａのパッド３１ｄに載せられた状態で、テール部２１ｂと先端部３０ｂ、テール部２２ｂとパッド３１ｄがそれぞれ半田付けされている。これにより、２０本のライン３０ａと２０本のライン３１ａが第１ハウジング２内に列設された合計４０１本の端子（２１，２２）のテール部（２１ｂ，２２ｂ）に交互に接続された状態となっている。
【００１５】
第２ハウジング４は、上記ライン基板３を挿入するための部材である。
図８は第２ハウジング４の後面図であり、図９は図２の矢視Ｃ−Ｃ断面図である。
図９に示すように、第２ハウジング４は、基板挿入口４０を前面に有し、端子４１，４２を内部に収納している。
基板挿入口４０は、ライン基板３を前端部側から挿入するための開口であり、その幅及び高さは、ライン基板３の幅及び厚さにほぼ等しく設定されている。
端子４１は２０（＝Ｎ）本あり、各端子４１は、第２ハウジング４の天壁部４３の内面に取り付けられている。また、各端子４１の前部には、ライン基板３の端子部３０と接触させるための接触部４１ａが形成され、後部には、コネクタ３０２の端子３０１ａに接触させるためのテール部４１ｂが形成されている。
端子４２も２０（＝Ｍ）本あり、各端子４２が、第２ハウジング４の底壁部４４の内面に取り付けられている。また、各端子４２の前部にも、ライン基板３の端子部３１に接触させるための接触部４２ａが形成され、後部には、コネクタ３０２の端子３０１ｂに接触させるためのテール部４２ｂが形成されている。なお、符号４５はコネクタ３０２の端子３０１ａ，３０１ｂを挿入するための孔である。
【００１６】
上記のごとき構造の第２ハウジング４には、ロック機構５と押圧部６とが設けられている。
ロック機構５は、図２に示すように、ガイド溝５０に設けられた係止部５１とライン基板３に設けられた切欠部５２とでなる。
ガイド溝５０は、図９にも示すように、第２ハウジング４の前方に延出した両側壁部４６，４６の内面であって且つ基板挿入口４０と一致する位置に刻設されている。このガイド溝５０の幅は、ライン基板３の厚さにほぼ等しく設定され、ライン基板３の両側端部をガイド溝５０に嵌めて、ライン基板３をスライドさせることにより、ライン基板３がガイド溝５０によって基板挿入口４０に案内される。
係止部５１は、このようなガイド溝５０内の前部に突設され、切欠部５２はライン基板３の後端部の両角部に形成されている。
これにより、ガイド溝５０，５０に嵌めたライン基板３を基板挿入口４０側にスライドさせ、ライン基板３が基板挿入口４０内に挿入された後、切欠部５２が係止部５１に至ると、切欠部５２が係止部５１に係合し、図１に示すように、ライン基板３が第２ハウジング４にロックされることとなる。
【００１７】
押圧部６は、図２に示すように、一対の第１突出片６０，６０と第２突出片６１とでなる。
一対の第１突出片６０，６０は、図９に示すように、第２ハウジング４の天壁部４３に突設されている。具体的には、一対の第１突出片６０，６０は、基板挿入口４０の前方に突出しており、その突出長さは側壁部４６の突出長さとほぼ等しく設定されている。
一方、第２突出片６１は、底壁部４４から基板挿入口４０の前方に一対の第１突出片６０，６０と平行に突出しており、その突出長さは、一対の第１突出片６０，６０と同様に、側壁部４６の突出長さとほぼ等しい。
【００１８】
次に、この実施形態の中継コネクタの使用例について説明する。
図１０は、ライン基板３の挿入途中状態を示す断面図であり、図１１はライン基板３の挿入完了状態を示す断面図である。
図１０に示すように、第１ハウジング２と一体のライン基板３を第２ハウジング４のガイド溝５０に嵌め、このライン基板３を親指Ｓで押圧して、ライン基板３を基板挿入口４０の内部に挿入していく。
そして、図１１に示すように、親指Ｓが押圧部６の第１突出片６０及び第２突出片６１に当たるまで、ライン基板３を押圧すると、ライン基板３の前端部が第２ハウジング４内に完全に入り込むと共に、ライン基板３の切欠部５２がロック機構５の係止部５１と係合して、ライン基板３がロックされる（図１参照）。
すると、端子４１の接触部４１ａがライン基板３の端子部３０に圧接し、端子４２の接触部４２ａが端子部３１に圧接する。この結果、第２ハウジング４の端子４１，４２がライン基板３の端子部３０，３１を介して第１ハウジング２の端子２１，２２と電気的に接続した状態になる。
かかる状態では、親指Ｓの押圧力が押圧部６の第１突出片６０，第２突出片６１によって受け止められているので、親指Ｓによるライン基板３への押圧力は解除されることとなる。したがって、以後、ライン基板３を親指Ｓで上又は下方向に押圧してライン基板３を破損してしまうという事態の発生を防止することができる。
【００１９】
次に、図１２に示すように、フレクシブル基板２００の端部を第１ハウジング２の扁平導体挿入口２０内に挿入すると共に、ＩＤＥケーブル３００のコネクタ３０２を第２ハウジング４に嵌める。
すると、フレクシブル基板２００の端子部２０１が第１ハウジング２の端子２１，２２（図４及び図５参照）に圧接し、第２ハウジング４の孔４５から挿入されたコネクタ３０２の端子３０１ａが端子４１のテール部４１ｂに圧接する共に、端子３０１ｂが端子４２のテール部４２ｂに圧接する。
この結果、狭幅のフレクシブル基板２００と広幅のＩＤＥケーブル３００とが中継コネクタ１を介して電気的に接続された状態になる。
【００２０】
（第２実施形態）
図１３は、この発明の第２実施形態にかかる中継コネクタを示す断面図である。
この実施形態の中継コネクタは、第１ハウジング２を、扁平導体挿入口２０がライン基板３の表面に対して水平方向を向くように、ライン基板３に載置した点が、上記第１実施形態と異なる。
具体的には、図１３に示すように、扁平導体挿入口２０がライン基板３の後方を向くように、第１ハウジング２を寝かせた状態で、ライン基板３の後端部に載置し、端子２１のテール部２１ｂをライン３０ａの先端部３０ｂに半田付け固定する。また、端子２２のテール部２２ｂは、ライン３１ａのパッド３１ｄに半田付け固定する。
かかる構成により、中継コネクタ自体の薄型化を図ることができる。
その他の構成，作用及び効果は上記第１実施形態と同様であるので、その記載は省略する。
【００２１】
【発明の効果】
以上詳しく説明したように、この発明の中継コネクタによれば、第１ハウジング，ライン基板及び第２ハウジングをそれぞれ別体に作成し、第１ハウジングをライン基板に載置した状態で、ライン基板を第２ハウジングに挿入することにより、中継コネクタを組み立てることができる構造であるので、煩雑な製造工程を必要とせず、しかも、ライン基板と第２ハウジングとの接続作業には、半田付け作業、抵抗溶接作業、レーザ作業等の作業を要しないので、その分製造工程の削減を図ることができ、その結果、製造コストの低減化を図ることができるという優れた効果がある。さらに、第１ハウジングを扁平導体の幅に対応させて小型化し、この小さな第１ハウジングをライン基板に載置することで、中継コネクタ全体を小型化することができるという効果もある。
【００２２】
特に、請求項４の発明によれば、第１ハウジングが取り付けられたライン基板を第２ハウジングの基板挿入口に挿入すると、ロック機構により、ライン基板が第２ハウジングにロックされるので、多少の外力によって、ライン基板が第２ハウジングから抜け落ちたり、接触不良を起こすという事態を防止することができる。
【００２３】
さらに、請求項５の発明によれば、ライン基板の挿入が完了すると、指が押圧部の第１突出片と第２突出片とに当たり、ライン基板が指の押圧力から解放されるので、挿入後のライン基板が指の押圧力によって曲がったり折れたりすることはない。
【図面の簡単な説明】
【図１】この発明の第１実施形態に係る中継コネクタの斜視図である。
【図２】中継コネクタの分解斜視図である。
【図３】第１ハウジングを示す平面図である。
【図４】図３の矢視Ａ−Ａ断面図である。
【図５】図３の矢視Ｂ−Ｂ断面図である。
【図６】ライン基板の表面図である。
【図７】ライン基板の裏面図である。
【図８】第２ハウジングの後面図である。
【図９】図２の矢視Ｃ−Ｃ断面図である。
【図１０】ライン基板の挿入途中状態を示す断面図である。
【図１１】ライン基板の挿入完了状態を示す断面図である。
【図１２】中継コネクタにフレクシブル基板とＩＤＥケーブルとを接続した状態を示す断面図である。
【図１３】この発明の第２実施形態にかかる中継コネクタを示す断面図である。
【図１４】従来の中継コネクタの一例を示す平面図である。
【符号の説明】
１…中継コネクタ、  ２…第１ハウジング、  ３…ライン基板、  ４…第２ハウジング、  ５…ロック機構、  ６…押圧部、  ２０…扁平導体挿入口、  ２１，２２，４１，４２，３０１ａ，３０１ｂ…端子、  ２１ａ，２２ａ，４１ａ，４２ａ…接触部、  ２１ｂ，２２ｂ，４１ｂ，４２ｂ…テール部、  ３０，３１，２０１…端子部、  ３０ａ，３１ａ…ライン、  ３０ｂ，３１ｂ…先端部、  ３１ｃ…スルーホール、  ３１ｄ…パッド、  ４０…基板挿入口、  ４３…天壁部、  ４４…底壁部、  ４５…孔、  ４６…側壁部、  ５０…ガイド溝、  ５１…係止部、  ５２…切欠部、  ６０…第１突出片、  ６１…第２突出片、  ２００…フレクシブル基板、３００…ＩＤＥケーブル、  ３０２…コネクタ、  Ｓ…親指。
【図１】
2004335246.tif 000003
【図２】
2004335246.tif 000004
【図３】
2004335246.tif 000005
【図４】
2004335246.tif 000006
【図５】
2004335246.tif 000007
【図６】
2004335246.tif 000008
【図７】
2004335246.tif 000009
【図８】
2004335246.tif 000010
【図９】
2004335246.tif 000011
【図１０】
2004335246.tif 000012
【図１１】
2004335246.tif 000013
【図１２】
2004335246.tif 000014
【図１３】
2004335246.tif 000015
【図１４】
2004335246.tif 000016
【手続補正書】
【提出日】平成16年6月10日(2004.6.10)
【手続補正１】
【補正対象書類名】明細書
【補正対象項目名】特許請求の範囲
【補正方法】変更
【補正の内容】
【特許請求の範囲】
【請求項１】
扁平導体の端部を挿入するための扁平導体挿入口，及び、扁平導体の端子部に接触させるための接触部を扁平導体挿入口内に露出させると共にテール部を外部に露出させた状態で列設されたＮ＋Ｍ本の端子を有する第１ハウジングと、
表面の前端部に列設されたＮ数の端子部から延出されたＮ本のラインと裏面の前端部に列設されたＭ数の端子部から延出されたＭ本のラインとを有し、これらＮ本のライン及びＭ本のラインが、表面又は裏面のいずれかに載置した上記第１ハウジングにおける上記Ｎ＋Ｍ本の端子のテール部に交互に接続されたライン基板と、
上記ライン基板を上記前端部側から挿入するための基板挿入口を前面に有し、挿入時のライン基板の表面に対向する天壁部の内面に、上記Ｎ数の端子部に接触する接触部と外部ケーブル又は外部コネクタを接続するためのテール部とを有したＮ本の端子が列設され、且つ、裏面に対向する底壁部の内面に、上記Ｍ数の端子部に接触する接触部と上記外部ケーブル又は外部コネクタを接続するためのテール部とを有したＭ本の端子が列設された第２ハウジングと
を具備することを特徴とする中継コネクタ。
【手続補正２】
【補正対象書類名】明細書
【補正対象項目名】０００６
【補正方法】変更
【補正の内容】
【０００６】
【課題を解決するための手段】
上記課題を解決するために、請求項１の発明に係る中継コネクタは、扁平導体の端部を挿入するための扁平導体挿入口，及び、扁平導体の端子部に接触させるための接触部を扁平導体挿入口内に露出させると共にテール部を外部に露出させた状態で列設されたＮ＋Ｍ本の端子を有する第１ハウジングと、表面の前端部に列設されたＮ数の端子部から延出されたＮ本のラインと裏面の前端部に列設されたＭ数の端子部から延出されたＭ本のラインとを有し、これらＮ本のライン及びＭ本のラインが、表面又は裏面のいずれかに載置した第１ハウジングにおけるＮ＋Ｍ本の端子のテール部に交互に接続されたライン基板と、ライン基板を前端部側から挿入するための基板挿入口を前面に有し、挿入時のライン基板の表面に対向する天壁部の内面に、Ｎ数の端子部に接触する接触部と外部ケーブル又は外部コネクタを接続するためのテール部とを有したＮ本の端子が列設され、且つ、裏面に対向する底壁部の内面に、Ｍ数の端子部に接触する接触部と外部ケーブル又は外部コネクタを接続するためのテール部とを有したＭ本の端子が列設された第２ハウジングとを具備する構成とした。
かかる構成により、扁平導体の端部を第１ハウジングの扁平導体挿入口に挿入すると、扁平導体の端子部が、Ｎ＋Ｍ本の端子の接触部に接触する。そして、第１ハウジングが取り付けられたライン基板を前端部側から第２ハウジングの基板挿入口に挿入すると、Ｎ数の端子部が、天壁部の内面に列設されたＮ本の端子の接触部に接触すると共に、Ｍ数の端子部が底壁部の内面に列設されたＭ本の端子の接触部に接触する。この状態で、外部ケーブル又は外部コネクタをＮ本の端子及びＭ本の端子のテール部に接続することで、外部ケーブル又は外部コネクタが、第２ハウジング，ライン基板、第１ハウジングを介して、扁平導体に電気的に接続される。